(57)【特許請求の範囲】
【請求項１】
弁筐と、一端部に操作摘みが固定され、他端部が弁筐の一端の開口部に挿入される押し回し操作自在な操作軸と、操作軸の回動操作に連動して回動しガス流量を可変する弁筐内の回転弁体と、操作軸の回動範囲を制限するストッパ手段とを備えるガス弁装置であって、
ストッパ手段は、弁筐の一端の開口部内周面の周方向一部に形成した径方向内方に突出するストッパ突起と、操作軸に連動して回動する、弁筐の一端の開口部に挿入されたストッパ部材とで構成され、ストッパ部材に設けた爪部がストッパ突起に周方向から当接することで操作軸の回動範囲が制限されるようにしたものにおいて、
弁筐は、一端の開口部のストッパ突起を形成した部分が回転弁体の一端部と軸方向にオーバーラップするように形成され、
操作軸の他端部に、回転弁体の一端部に軸方向に相対移動自在に且つ相対回転不能に係合する係合部が一体に形成され、
ストッパ部材は、回転弁体の一端部に隣接する位置で、操作軸に軸方向に相対移動自在に且つ相対回転不能に外挿された環状の板状部材で構成され、この板状部材の外周縁の一部に、軸方向に屈曲した爪部となる折り曲げ片が形成されることを特徴とするガス弁装置。
【発明の詳細な説明】
【技術分野】
【０００１】
本発明は、弁筐と、一端部に操作摘みが固定され、他端部が弁筐の一端の開口部に挿入される押し回し操作自在な操作軸と、操作軸の回動操作に連動して回動しガス流量を可変する弁筐内の回転弁体と、操作軸の回動範囲を制限するストッパ手段とを備えるガス弁装置に関する。
【背景技術】
【０００２】
従来、この種のガス弁装置では、ストッパ手段を、弁筐の一端の開口部内周面の一部に形成した径方向内方に突出するストッパ突起と、操作軸に連動して回動する、弁筐の一端の開口部に挿入されたストッパ部材とで構成し、ストッパ部材に設けた爪部がストッパ突起に周方向から当接することで操作軸の回動範囲が制限されるようにしている(例えば、特許文献１参照)。
【０００３】
そして、従来例のものでは、弁筐を、その一端の開口部のストッパ突起を形成した部分が回転弁体の一端部よりも軸方向手前側に位置するように形成すると共に、ストッパ部材を操作軸の他端部に外挿される筒状部材で構成して、筒状部材の外周面に、ストッパ突起に当接する爪部を突設している。また、筒状部材の他端に、回転弁体の一端部に軸方向に相対移動自在に且つ相対回転不能に係合する係合部を延設し、操作軸の回動により筒状部材(ストッパ部材)を介して回転弁体が回動されるようにしている。
【０００４】
ここで、従来例のものでは、弁筐の一端の開口部のストッパ突起を形成した部分が回転弁体の一端部よりも軸方向手前側に位置するため、弁筐の軸方向寸法が長くなって、ガス弁装置が大型化する不具合がある。
【先行技術文献】
【特許文献】
【０００５】
【特許文献１】特開２０１１−２５６９１５号公報
【発明の概要】
【発明が解決しようとする課題】
【０００６】
本発明は、以上の点に鑑み、弁筐の軸方向寸法を短縮して小型化を図ることができるようにしたガス弁装置を提供することをその課題としている。
【課題を解決するための手段】
【０００７】
上記課題を解決するために、本発明は、弁筐と、一端部に操作摘みが固定され、他端部が弁筐の一端の開口部に挿入される押し回し操作自在な操作軸と、操作軸の回動操作に連動して回動しガス流量を可変する弁筐内の回転弁体と、操作軸の回動範囲を制限するストッパ手段とを備えるガス弁装置であって、ストッパ手段は、弁筐の一端の開口部内周面に形成した径方向内方に突出するストッパ突起と、操作軸に連動して回動する、弁筐の一端の開口部に挿入されたストッパ部材とで構成され、ストッパ部材に設けた爪部がストッパ突起に周方向から当接することで操作軸の回動範囲が制限されるようにしたものにおいて、弁筐は、一端の開口部のストッパ突起を形成した部分が回転弁体の一端部と軸方向にオーバーラップするように形成され、操作軸の他端部に、回転弁体の一端部に軸方向に相対移動自在に且つ相対回転不能に係合する係合部が一体に形成され、ストッパ部材は、回転弁体の一端部に隣接する位置で、操作軸に軸方向に相対移動自在に且つ相対回転不能に外挿された環状の板状部材で構成され、この板状部材の外周縁の一部に、軸方向に屈曲した爪部となる折り曲げ片が形成されることを特徴とする。
【０００８】
本発明によれば、操作軸から回転弁体に直接回動力が伝達され、また、操作軸の回動に連動してストッパ部材たる板状部材が回動し、板状部材に形成した爪部たる折り曲げ片がストッパ突起に周方向から当接することで操作軸の回動範囲が制限される。そして、本発明では、弁筐の一端の開口部のストッパ突起を形成する部分が回転弁体の一端部と軸方向にオーバーラップするため、弁筐の一端の開口部のストッパ突起を形成する部分が回転弁体の一端部よりも軸方向手前側に位置する従来例のものに比し、弁筐の軸方向寸法を短縮して、ガス弁装置の小型化を図ることができる。
【図面の簡単な説明】
【０００９】
【図１】本発明の実施形態のガス弁装置の斜視図。
【図２】実施形態のガス弁装置の切断側面図。
【図３】実施形態のガス弁装置の要部の分解状態の斜視図。
【発明を実施するための形態】
【００１０】
図１、図２を参照して、１は、ガスコンロに適用される本発明の実施形態のガス弁装置を示している。このガス弁装置１は、前後方向に長手の弁筐２と、一端部（前端部）に操作摘み（図示省略）が固定され、他端部（後端部）が弁筐２の一端（前端）の開口部２１に挿入される押し回し操作自在な操作軸３と、弁筐２の後部に収納した電磁安全弁４と、弁筐２の前部に収納した、操作軸３の回動操作に連動して回動しガス流量を調節する回転弁体５と、操作軸３の回動範囲を回転弁体５が全閉となる消火位置と回転弁体５が全開となる点火位置との間に制限するストッパ手段６と、弁筐２の外面に取付けられる流路ブロック７とを備えている。尚、流路ブロック７には電磁弁７１が組み込まれており、電磁弁７１が閉弁したとき、これに並列のオリフィス７２のみを介してコンロバーナにガスが供給されるようにしている。
【００１１】
弁筐２には、電磁安全弁４の収納空間に連通するガス流入口２２と、電磁安全弁４の収納空間と回転弁体５の収納空間との間の弁孔２３と、回転弁体５の収納空間と流路ブロック７内のガス流路とを連通するガス流出口２４とが形成されている。また、弁筐２内には、回転弁体５を貫通して操作軸３の後端に当接する前後方向に長手の押圧ロッド３１が設けられており、操作軸３の後方への押し操作により押圧ロッド３１を介して電磁安全弁４の弁体４１が弁孔２３を開く開弁位置に押動されるようにしている。
【００１２】
弁筐２の前端には、操作軸３を挿通支持する支持枠２５が取り付けられている。支持枠２５は、前板部２５ａと後板部２５ｂと両板部２５ａ，２５ｂ間の連結板部２５ｃとを有する断面略コ字状に形成されている。そして、後板部２５ｂに、マイクロスイッチ８を取付けると共に、前板部２５ａと後板部２５ｂとの間に、操作軸３に軸方向に相対移動自在に且つ相対回転不能に外挿されるカム８１を介設し、操作軸３が所定の点火位置に回動されたときに、カム８１の周面の突起８１ａ（図３参照）がマイクロスイッチ８の検知レバー部に当接してマイクロスイッチ８がオンし、コンロバーナの点火が行われるようにしている。尚、煮こぼれ汁がマイクロスイッチ８にかからないよう、連結板部２５ｃでマイクロスイッチ８を上方から覆っている。
【００１３】
図３を参照して、ストッパ手段６は、弁筐２の一端（前端）の開口部２１内周面の周方向の一部、具体的には１８０°離隔した２箇所に形成した径方向内方に突出するストッパ突起６１と、操作軸３に連動して回動する、弁筐２の一端の開口部２１に挿入されたストッパ部材６２とで構成されている。そして、ストッパ部材６２に設けた爪部６２ａがストッパ突起６１に周方向一方と他方から当接することで操作軸３の回動範囲が制限されるようにしている。
【００１４】
ここで、本実施形態では、弁筐２を、その一端の開口部２１のストッパ突起６１を形成した部分が回転弁体５の一端部（前端部）と軸方向にオーバーラップするように形成すると共に、操作軸３の他端部（後端部）に、回転弁体５の一端部に軸方向に相対移動自在に且つ相対回転不能に係合する係合部３ａを一体に形成している。尚、回転弁体５の一端部には、軸方向の割溝５１が形成されており、係合部３ａは、この割溝５１に係合する径方向の突起で構成されている。
【００１５】
また、ストッパ部材６２は、回転弁体５の一端部に隣接する位置で、操作軸３に軸方向に相対移動自在に且つ相対回転不能に外挿された環状の板状部材で構成されている。そして、ストッパ部材たる板状部材６２の外周縁の一部、具体的には、１８０°離隔した２箇所には、軸方向（後方）に屈曲した爪部６２ａとなる折り曲げ片が形成されている。尚、板状部材６２には、操作軸３の係合部３ａが挿通されると共に、操作軸３の周面に形成したＤカット面３ｂが接する孔縁部を有する係合孔６２ｂが形成されている。そのため、操作軸３の押し操作で係合部３ａが係合孔６２ｂの前方に抜け出ても、Ｄカット面３ｂが係合孔６２ｂの孔縁部に係合して、板状部材６２が操作軸３と一緒に回動する。
【００１６】
また、回転弁体５の一端部寄りの外周面の部分と内周面の部分には、夫々前向きの段部が設けられており、外周面の段部と板状部材６２との間に、板状部材６２を支持枠２５に押し付けると共に回転弁体５を弁筐２内に押し込むバネ６３を介設し、内周面の段部と押圧ロッド３１の前端の鍔部との間に、押圧ロッド３１及び操作軸３を前方に付勢するバネ３２を介設している。
【００１７】
更に、操作軸３の係合部３ａたる突起の前面に、突起よりも幅狭の突条３ｃを突設している。そして、操作軸３を消火位置に回動復帰させた状態では、突条３ｃが支持枠２５の後板部２５ｂに形成した図示しないスリット状の孔部に嵌合して、操作軸３が消火位置に回り止めされ、バネ３２の付勢力に抗して操作軸３を押し操作したときに、突条３ｃが孔部から抜け出て、操作軸３の回り止めが解除されるようにしている。
【００１８】
ここで、本実施形態によれば、操作軸３からこれに一体に形成した係合部３ａを介して回転弁体５に回動力が伝達され、また、操作軸３の回動に連動してストッパ部材たる板状部材６２が回動し、板状部材６２に形成した爪部たる折り曲げ片６２ａがストッパ突起６１に周方向から当接することで操作軸３の回動範囲が制限される。更に、本実施形態では、弁筐２の一端の開口部２１のストッパ突起６１を形成する部分が回転弁体５の一端部と軸方向にオーバーラップするため、弁筐の一端の開口部のストッパ突起を形成する部分が回転弁体の一端部よりも軸方向手前側に位置する上記従来例のものに比し、弁筐２の軸方向寸法を短縮して、ガス弁装置１の小型化を図ることができる。
【００１９】
以上、本発明の実施形態について図面を参照して説明したが、本発明はこれに限定されない。例えば、上記実施形態では、弁筐２の外面に接合される流路ブロック７を設けているが、流路ブロック７は省略することも可能である。
【符号の説明】
【００２０】
１…ガス弁装置、２…弁筐、２１…弁筐の一端の開口部、３…操作軸、３ａ…係合部、５…回転弁体、６…ストッパ手段、６１…ストッパ突起、６２…ストッパ部材，板状部材、６２ａ…爪部，折り曲げ片。
【図１】
0005981467.tif 000002
【図２】
0005981467.tif 000003
【図３】
0005981467.tif 000004